(57)【要約】【課題】フレキシブル配線基板等の実装後において、実装前と同じ検査方法によって表示検査を行うことができる液晶表示装置を提供する。【解決手段】マトリクス状に配置された複数の表示画素ＰＸによって構成された有効表示部６と、有効表示部６に駆動信号を供給するフレキシブル配線基板ＦＰＣが接続される接続パッド１１Ｂと、有効表示部６の表示検査の際に検査信号源が接続される検査パッドＰ１〜Ｐ６と、検査パッドＰ１〜Ｐ６と有効表示部６とを接続するとともに、表示検査の際に検査信号が供給される検査配線Ｗ１と、第４パッド１１Ｂ４と検査パッドＰ１〜Ｐ６とを接続する接続配線Ｗ２と、を備えた液晶表示装置。【選択図】図１
2006317763.tif 000002
【特許請求の範囲】
【請求項１】
マトリクス状に配置された複数の表示画素によって構成された有効表示部と、
前記有効表示部に駆動信号を供給する駆動信号源が接続される接続パッドと、
前記有効表示部の表示検査の際に検査信号源が接続される検査パッドと、
前記検査パッドと前記有効表示部とを接続するとともに、表示検査の際に検査信号が供給される検査配線と、
前記接続パッドと前記検査パッドとを接続する接続配線と、を備えた液晶表示装置。
【請求項２】
前記有効表示部は、前記表示画素の行方向に沿って延びた走査線と、列方向に沿って延びた信号線とを有し、
前記検査配線は前記有効表示部の外側に位置する外周部に配置され、前記走査線及び前記信号線に接続されている請求項１記載の液晶表示装置。
【請求項３】
前記検査配線は、スイッチング素子を介して前記走査線及び前記信号線に接続されている請求項１記載の液晶表示装置。
【発明の詳細な説明】
【技術分野】
【０００１】
本発明は、液晶表示装置に関するもので、特にアクティブマトリクス方式の液晶表示装置に関する。
【背景技術】
【０００２】
液晶表示装置は、液晶表示パネルを有している。この液晶表示パネルは、対向して配置された一対の基板、すなわちアレイ基板及び対向基板と、これら一対の基板の間に光変調層として保持された液晶層とを備えている。この液晶表示パネルは、画像を表示する略矩形状の有効表示部を備えている。この有効表示部は、マトリクス状に配置された複数の表示画素によって構成されている。
【０００３】
これら複数の表示画素は、入力された信号をスイッチングするための画素スイッチを有している。この画素スイッチは、有効表示部の外部に接続される駆動信号源、例えばフレキシブル配線基板等からの信号によってオンオフ制御される。
【０００４】
上記の液晶表示パネルについて、駆動信号源であるフレキシブル配線基板等の実装前に画素欠陥の有無を検査する表示検査が行われている。従来、この表示検査は、有効表示部の外部に形成された検査パッドに検査信号源を接続し、有効表示部に引き出された検査配線に検査信号を供給して行っていた（特許文献１参照）。
【特許文献１】特開２００４−２２６９３１号公報
【発明の開示】
【発明が解決しようとする課題】
【０００５】
しかし上記の方法では、フレキシブル配線基板等の実装後に検査パッドが露出しなくなるために、実装前と同じ検査方法によって表示検査を行うことができない場合があった。
【０００６】
本発明は上記の問題点に鑑みて成されたものであって、フレキシブル配線基板等の実装後において、実装前と同じ検査方法によって表示検査を行うことができる液晶表示装置を提供することを目的とする。
【課題を解決するための手段】
【０００７】
本発明の態様による液晶表示装置は、マトリクス状に配置された複数の表示画素によって構成された有効表示部と、前記有効表示部に駆動信号を供給する駆動信号源が接続される接続パッドと、前記有効表示部の表示検査の際に検査信号源が接続される検査パッドと、前記検査パッドと前記有効表示部とを接続するとともに、表示検査の際に検査信号が供給される検査配線と、前記接続パッドと前記検査パッドとを接続する接続配線と、を備える。
【発明の効果】
【０００８】
本発明によれば、フレキシブル配線基板等の実装後において、実装前と同じ検査方法によって表示検査を行うことができる液晶表示装置を提供することができる。
【発明を実施するための最良の形態】
【０００９】
以下、本発明の第１実施形態に係る液晶表示装置について図面を参照して説明する。本発明の一実施形態に係る液晶表示装置は、図１に示すように、略矩形平板状の液晶表示パネル１を備えている。この液晶表示パネル１は、対向して配置された一対の基板すなわちアレイ基板３及び対向基板４と、これら一対の基板の間に光変調層として保持された液晶層５と、によって構成されている。
【００１０】
この液晶表示パネル１は、画像を表示する略矩形状の有効表示部６を備えている。有効表示部６は、マトリクス状に配置された複数の表示画素ＰＸによって構成されている。
【００１１】
アレイ基板３は、有効表示部６において、配線、例えば、表示画素ＰＸの行方向に沿って延在する複数の走査線Ｙ（１、２、３、…、ｍ）や、表示画素ＰＸの列方向に沿って延在する複数の信号線Ｘ（１、２、３、…、ｎ）を備えている。また、アレイ基板３は、有効表示部６において、これらの各種配線の他に、走査線Ｙと信号線Ｘとの交差部付近において表示画素ＰＸ毎に配置された画素スイッチ７、画素スイッチ７に接続された画素電極８等を備えている。
【００１２】
画素スイッチ７は、薄膜トランジスタ（ＴＦＴ）などで構成されている。この画素スイッチ７のゲート電極７Ｇは、対応する走査線Ｙに電気的に接続されている（あるいは走査線と一体に形成されている）。画素スイッチ７のソース電極７Ｓは、対応する信号線Ｘに電気的に接続されている（あるいは信号線と一体に形成されている）。画素スイッチ７のドレイン電極７Ｄは、対応する表示画素ＰＸの画素電極８に電気的に接続されている。
【００１３】
対向基板４は、有効表示部６において、全表示画素ＰＸに共通の対向電極９などを備えている。これらアレイ基板３及び対向基板４は、全表示画素ＰＸの画素電極８と対向電極９とを対向させた状態で配設され、これらの間にギャップを形成する。液晶層５は、アレイ基板３と対向基板４とのギャップに封止された液晶組成物によって形成されている。
【００１４】
液晶表示パネル１は、有効表示部６の外側に位置する外周部１０に配置された駆動信号源が接続される接続部１１を備えている。接続部１１は、駆動ＩＣ１２が配置される第１接続パッド１１Ａと、駆動信号源としてフレキシブル配線基板（ＦＰＣ）を接続可能な第２接続パッド１１Ｂとを有している。
【００１５】
図１に示した例では、第１接続パッド１１Ａ及び第２接続パッド１１Ｂは、対向基板４の端部４Ａより外方に延在したアレイ基板３の延在部１０Ａ上に配置されている。第１接続パッド１１Ａは、例えば駆動ＩＣ１２の入力端子と接続される第１パッド１１Ａ１及び駆動ＩＣ１２の出力端子と接続される第２パッド１１Ａ２を含んでいる。また、第２接続パッド１１Ｂは、第１接続パッド１１Ａの第１パッド１１Ａ１と延在部１０Ａ上の配線Ｗ３を介して互いに接続される第３パッド１１Ｂ３を含んでいる。第２パッド１１Ａ２は、有効表示部６に延びる配線Ｗ４によって信号線Ｘ及び走査線Ｙの一端に接続されている。
【００１６】
また、延在部１０Ａには、有効表示部６の表示検査を行う際に、検査信号源である検査装置２が接続される検査パッドＰ（１、２、…、６）が配置されている。検査パッドＰは、表示検査の際に検査信号が供給される検査配線Ｗ１に接続されている。図１に示した例では、検査配線Ｗ１は、外周部１０に配置されている。
【００１７】
また、検査配線Ｗ１は、スイッチング素子ＳＷを介して、有効表示部６の信号線Ｘ及び走査線Ｙ等に接続している。すなわち、図１に示す場合では、検査パッドＰ１に接続した検査配線Ｗ１は、有効表示部６の対向電極９に接続している。検査パッドＰ２に接続した検査配線Ｗ１は、信号線Ｘ及び走査線Ｙ毎に設けられたスイッチング素子ＳＷのゲート電極に接続されている。検査パッドＰ３に接続した検査配線Ｗ１は、偶数番目の走査線Ｙ（２、４、…）に接続されたスイッチング素子ＳＷのソース電極に接続されている。検査パッドＰ４に接続した検査配線Ｗ１は、奇数番目の走査線Ｙ（１、３、…）に接続されたスイッチング素子ＳＷのソース電極に接続されている。検査パッドＰ５に接続された検査配線Ｗ１は、偶数番目の信号線Ｘ（２、４、…）に接続されたスイッチング素子ＳＷのソース電極に接続されている。検査パッドＰ６に接続された検査配線Ｗ１は、奇数番目の信号線Ｘ（１、３、…）に接続されたスイッチング素子ＳＷのソース電極に接続されている。信号線Ｘ及び走査線Ｙの他端は、スイッチング素子ＳＷのドレイン電極に接続されている。
【００１８】
この実施の形態では、さらに、検査パッドＰは、それぞれ接続配線Ｗ２によって第２接続パッド１１Ｂと接続されている。すなわち、第２接続パッド１１Ｂは、検査パッドＰと延在部１０Ａ上の配線Ｗ４を介して互いに接続される第４パッド１１Ｂ４を含んでいる。
【００１９】
上記の液晶表示パネル１について、駆動ＩＣ１２及びフレキシブル配線基板ＦＰＣの実装前において第１表示検査方法が適用可能である。この第１表示検査方法は、検査配線Ｗ１を介して有効表示部６における画素欠陥の有無を検査するものであり、検査パッドＰに検査信号源である検査装置２を接続して有効表示部６に検査信号を入力する。図２に示した場合では、検査装置２の出力配線が検査パッドＰ１、Ｐ２、Ｐ４、Ｐ６に接続されている。
【００２０】
この場合、検査パッドＰ１から対向電極９に電圧が印加され、検査パッドＰ２から検査配線Ｗ１を介してスイッチング素子ＳＷのゲート電極に所定の電圧が印加される。これにより、スイッチング素子ＳＷはオン状態となる。このとき、検査パッドＰ４及び検査パッドＰ６から奇数番目の信号線Ｘ（１、３…）と奇数番目の走査線Ｙ（１、３…）とに検査信号が入力され、検査信号が入力されたラインが交差する部分の表示画素ＰＸが点灯する。
【００２１】
上記の組み合せ以外でも、例えば、検査装置２の出力配線が検査パッドＰ１、Ｐ２、Ｐ３、Ｐ５に接続されると、偶数番目の信号線Ｘ（２、４…）と偶数番目の走査線Ｙ（２、４…）とに検査信号が入力されて、偶数番目の信号線Ｘ（２、４…）と偶数番目の走査線Ｙ（２、４…）とが交差する部分の表示画素ＰＸが点灯する。
【００２２】
このときに、入力された検査信号に対応して表示画素が点灯しているか否か等によって表示検査を行う。
【００２３】
また、この実施の形態の構成によれば、駆動ＩＣ１２及びフレキシブル配線基板ＦＰＣの実装後において、先に説明した第１表示検査方法も適用可能である。すなわち、上記と同様の第１表示検査方法では、図３に示すように、検査装置２からフレキシブル配線基板ＦＰＣに検査信号を入力する。フレキシブル配線基板ＦＰＣに入力された検査信号うち、第２接続パッド１１Ｂの第４パッド１１Ｂ４を介して入力された検査信号は、接続配線Ｗ２を介して各検査パッドＰに入力される。検査パッドＰに入力された検査信号は、実装前と同様に対向電極９、スイッチング素子ＳＷ、信号線Ｘ、及び走査線Ｙに入力され、検査信号が入力された信号線Ｘと走査線Ｙとが交差する部分の表示画素ＰＸが点灯する。ここでも、入力した検査信号に対応した表示画素ＰＸが点灯しているか否か等によって表示検査を行う。
【００２４】
さらに、駆動ＩＣ１２及びフレキシブル配線基板ＦＰＣの実装後には、第１表示検査方法以外に第２表示検査方法が適用可能である。この第２表示検査方法は、有効表示部６における画素欠陥の有無を検査するものであり、フレキシブル配線基板ＦＰＣに検査信号源である検査装置２を接続して有効表示部６に検査信号を入力する。
【００２５】
すなわち、図３に示すように、この第２表示検査方法は、検査装置２からフレキシブル配線基板ＦＰＣに検査信号を入力する。フレキシブル配線基板ＦＰＣから入力された検査信号のうち、第２接続パッド１１Ｂの第３パッド１１Ｂ３を介して入力された検査信号は、配線Ｗ３を介して第１接続パッド１１Ａの第１パッド１１Ａ１に入力され、さらに、駆動ＩＣ１２の入力端子に入力される。駆動ＩＣ１２の出力端子から第１接続パッド１１Ａの第２パッド１１Ａ２から出力された検査信号は、配線Ｗ４を介して信号線Ｘ及び走査線Ｙに入力される。これにより、入力した検査信号に対応した表示画素ＰＸが点灯しているか否か等によって表示検査を行う。
【００２６】
以上説明したように、検査信号源が接続される検査パッドＰを駆動信号源が接続される接続パッド１１Ｂと接続することによって、駆動信号源を実装した後であっても、駆動信号源を介して検査信号源を接続可能となり、検査パッドＰを用いた実装前と同様の検査方法で表示検査を行うことができる。このことによって、実装前と実装後との表示について解析を行う際に、解析方法を変換する必要がなくなる。
【００２７】
また、信号線Ｘ及び走査線Ｙに検査信号を入力するための検査パッドＰを、奇数番目の信号線Ｘ（１、３…）及び走査線Ｙ（１、３…）に接続される検査パッドＰ４、Ｐ６と、偶数番目の信号線Ｘ（２、４…）及び走査線Ｙ（２、４…）に接続される検査パッドＰ３、Ｐ５とに分けることによって、隣接する配線間のショートや、各配線の断線等の欠陥についての検査が容易になる。
【００２８】
なお、この発明は、上記実施形態そのままに限定されるものではなく、実施段階ではその要旨を逸脱しない範囲で構成要素を変形して具体化できる。
【００２９】
例えば、上記の実施形態では、信号線Ｘに接続される検査配線Ｗ１は、２本であるが、信号線Ｘに接続される検査配線Ｗ１を３本にし、赤色画素、緑色画素、青色画素毎に検査信号を入力するようにしても良い。このことによって、カラー表示についても検査を行うことができる。
【００３０】
また、上記実施形態に開示されている複数の構成要素の適宜な組み合せにより種々の発明を形成できる。例えば、実施形態に示される全構成要素から幾つかの構成要素を削除してもよい。例えば、上記の実施形態では接続パッド１１Ａに駆動ＩＣ１２が配置される、駆動信号源としてフレキシブル配線基板ＦＰＣのみが接続されても良い。更に、異なる実施形態に亘る構成要素を適宜組み合せてもよい。
【図面の簡単な説明】
【００３１】
【図１】本発明の第１実施形態に係る液晶表示装置の液晶表示パネルを概略的に示す平面図。
【図２】図１に示す液晶表示パネルについて、駆動信号源を実装前の表示検査について説明する図。
【図３】図１に示す液晶表示パネルについて、駆動信号源を実装後の表示検査について説明する図。
【符号の説明】
【００３２】
１…液晶表示パネル、３…アレイ基板、４…対向基板、４Ａ…端部、５…液晶層、６…表示領域、７…スイッチング素子、７Ｇ…ゲート電極、７Ｓ…ソース電極、７Ｄ…ドレイン電極、８…画素電極、９…対向電極、１０…外周部、１０Ａ…延在部、１１…接続部、１１Ａ…第１接続パッド、１１Ａ１…第１パッド、１１Ａ２…第２パッド、１１Ｂ…第２接続パッド、１１Ｂ３…第３パッド、１１Ｂ４…第４パッド、１２…駆動ＩＣ、ＦＰＣ…フレキシブル配線基板、Ｘ（Ｘ１〜Ｘｎ）…信号線、Ｙ（Ｙ１〜Ｙｍ）…走査線、ＰＸ…画素、Ｐ（Ｐ１〜Ｐ６）…検査パッド、Ｗ１…検査配線、Ｗ２…接続配線、ＳＷ…スイッチング素子
【図１】
2006317763.tif 000003
【図２】
2006317763.tif 000004
【図３】
2006317763.tif 000005